(57)【特許請求の範囲】
【請求項１】
複数の画素を配列してなる表示素子の、各画素から射出される光線の光路を時系列的に変更して画素ずらしを行うことにより、見かけの画素数を増加させる画像表示装置であって、
上記画素ずらしを行う際に、見かけの画素密度が疎になる周辺部分の画像表示を禁止するマスク手段を具備したことを特徴とする画像表示装置。
【請求項２】
複数の画素を２次元状に配列してなる表示素子と、
この表示素子を画素毎に制御して映像信号に基づき映像を表示させる映像処理手段と、
上記表示素子から射出される光線の光路を時系列的に屈折させて画素ずらしを行う光路変更手段と、
この光路変更手段により画素ずらしを行う際に、見かけの画素密度が疎になる、左右方向または上下方向の少なくとも一方の端部を黒く表示させるマスク手段と、
を具備したことを特徴とする画像表示装置。
【請求項３】
上記光路変更手段は、見かけの画素位置を、左右方向または上下方向の少なくとも一方に画素同士のピッチ以上移動させて、上記画素ずらしを行うものであり、
上記マスク手段は、見かけの画素位置が画素同士のピッチ以上移動される方向の両側の端部を黒く表示させるものであることを特徴とする請求項２に記載の画像表示装置。
【請求項４】
上記マスク手段は、画素の位置を検出して、マスクする対象となる位置である場合には、該画素を黒く表示させるものであることを特徴とする請求項３に記載の画像表示装置。
【請求項５】
上記光路変更手段は、上記光線の光路に交差する面内において独立な複数の方向に光路を屈折させる画素ずらしを、各方向毎に独立して行うことが可能であって、これら独立した光路の屈折を順次組み合わせて行うことにより、フィールドを複数に分割したサブフィールド毎に、時系列的に画素ずらしを行うものであり、
上記マスク手段は、さらに、上記サブフィールドの番号と、ライン位置と、色と、の内の少なくとも２つに基づいて、画素を黒く表示させるか否かを判断するものであることを特徴とする請求項４に記載の画像表示装置。
【発明の詳細な説明】
【０００１】
【発明の属する技術分野】
本発明は、画像表示装置、より詳しくは、画素ずらしを行うことにより見かけの画素数を増加させる画像表示装置に関する。
【０００２】
【従来の技術】
従来より、ＣＲＴを用いた画像表示装置が広く用いられてきたが、近年では、液晶表示素子等を用いた画像表示装置が次第にマーケットシェアーを伸ばしつつある。
【０００３】
こうした画像表示装置は、液晶表示素子を構成する画素の数により、表示する画像の精細さが基本的に決定されるが、高精細な画像を得るために画素数を増加させると、液晶表示素子のコストが高くなったり、より高速な信号処理回路が必要となったりすることになる。
【０００４】
そこで、限られた画素数の液晶表示素子を用いて、より高精細な画像を表示するための技術が開発されている。
【０００５】
このような技術の一例としては、例えば液晶表示素子からの光の光軸を所定の方向に振動させるウォブリングと呼ばれる画素ずらし操作を行うことにより、見かけの画素数を増やす技術がある。
【０００６】
このウォブリングとしては、例えば、偶数フィールドと奇数フィールドとで見かけの画素位置を移動させる２点画素ずらしの技術や、さらに、各フィールドを２つのサブフィールドに分割して、これらサブフィールド毎に見かけの画素位置を移動させる４点画素ずらしの技術などがある。
【０００７】
例えば、特開平４−６３３３２号公報には、表示用液晶パネルに対して、偏光方向制御用液晶パネルと水晶板の組み合わせを２組用い、かつ４つのフレームメモリを用いて、１組の偏光方向制御用液晶パネルと水晶板により画像を水平方向に１／２画素ピッチシフトさせ、他の１組の偏光方向制御用液晶パネルと水晶板により画像を垂直方向に１／２画素ピッチシフトさせて４点画素ずらしを行い、解像度を向上させる手法が示されている。すなわち、１フレームを４フィールドで構成し、画像信号を４つの画像に分割して、それぞれの分割画像をフレームメモリに記憶させる。そして、第１のフィールドでは２組の液晶パネル中を直進させて表示し、第２のフィールドでは水平方向に１／２画素ピッチだけシフトして表示させ、第３のフィールドでは垂直方向に１／２画素ピッチだけシフトして表示させ、第４のフィールドでは水平方向、垂直方向共に１／２画素ピッチだけシフトした位置に表示させて、これらを合成することにより、４点画素ずらしによる高精細な画像が表示されるようになっている。
【０００８】
また、特開平７−３６０５４号公報においても、液晶位相変調素子と複屈折媒体とからなる１次元の２点画素ずらし素子を２組用意し、一方の素子に対して他方の素子を入射光軸の回りに９０°回転させて組み合わせ積層して、１フレームあるいは１フィールド内で垂直および水平方向の４回の画素ずらしを行い、２次元の４点画素ずらしの高解像度化された光学装置について開示がなされている。
【０００９】
この内の４点画素ずらしを用いる画像表示装置において、ずらす画素の位置を長方形の各頂点に配置する代わりに、平行四辺形の各頂点に配置することにより、水平方向と垂直方向の何れにおいても解像度を向上させるようにした技術が本出願人により開発されていて、該技術は、まだ公開されていない特願平１０−３３６４８２号に記載されている。
【００１０】
【発明が解決しようとする課題】
上記特願平１０−３３６４８２号に記載したような技術は、画面の周縁部を除いた全体に渡って見かけの画素密度を高くして画像の高精細化を図ることができるという利点がある一方で、画面の周縁部の例えば左右端については、見かけの画素密度が疎となる部分が生じてしまって解像度を向上することができず、該周縁部の左右端だけが他の中央などの部分に比して精細さの劣る画像を表示することになってしまっていた。このような画像は、精度が低い部分が全体としてはほんの一部であってしかも左右端であるにも関わらず、ユーザが観察した場合に、画像の見易さが低下する要因となっていた。
【００１１】
本発明は上記事情に鑑みてなされたものであり、限られた画素数で、より高精細な画像を、より見易く表示することができる画像表示装置を提供することを目的としている。
【００１２】
【課題を解決するための手段】
上記の目的を達成するために、第１の発明による画像表示装置は、複数の画素を配列してなる表示素子の各画素から射出される光線の光路を時系列的に変更して画素ずらしを行うことにより見かけの画素数を増加させる画像表示装置であって、上記画素ずらしを行う際に、見かけの画素密度が疎になる周辺部分の画像表示を禁止するマスク手段を備えたものである。
【００１３】
また、第２の発明による画像表示装置は、複数の画素を２次元状に配列してなる表示素子と、この表示素子を画素毎に制御して映像信号に基づき映像を表示させる映像処理手段と、上記表示素子から射出される光線の光路を時系列的に屈折させて画素ずらしを行う光路変更手段と、この光路変更手段により画素ずらしを行う際に見かけの画素密度が疎になる左右方向または上下方向の少なくとも一方の端部を黒く表示させるマスク手段とを備えたものである。
【００１４】
さらに、第３の発明による画像表示装置は、上記第２の発明による画像表示装置において、上記光路変更手段は、見かけの画素位置を左右方向または上下方向の少なくとも一方に画素同士のピッチ以上移動させて上記画素ずらしを行うものであり、上記マスク手段は、見かけの画素位置が画素同士のピッチ以上移動される方向の両側の端部を黒く表示させるものである。
【００１５】
第４の発明による画像表示装置は、上記第３の発明による画像表示装置において、上記マスク手段が、画素の位置を検出して、マスクする対象となる位置である場合には、該画素を黒く表示させるものである。
【００１６】
第５の発明による画像表示装置は、上記第４の発明による画像表示装置において、上記光路変更手段が、上記光線の光路に交差する面内において独立な複数の方向に光路を屈折させる画素ずらしを各方向毎に独立して行うことが可能であって、これら独立した光路の屈折を順次組み合わせて行うことによりフィールドを複数に分割したサブフィールド毎に時系列的に画素ずらしを行うものであり、上記マスク手段は、さらに、上記サブフィールドの番号と、ライン位置と、色と、の内の少なくとも２つに基づいて、画素を黒く表示させるか否かを判断するものである。
【００１７】
【発明の実施の形態】
以下、図面を参照して本発明の実施の形態を説明する。
図１から図１４は本発明の一実施形態を示したものであり、図１は画像表示装置の主として映像信号の流れに関する電気的な構成を示すブロック図、図２は画像表示装置の光学的な部分の構成を示す斜視図、図３は液晶セルと複屈折板によるウォブリングの様子を側方から示す図、図４はデジタル画像処理ユニットの構成を従来と比較して示すブロック図、図５はＲ信号の処理に関するマスク回路の構成を示すブロック図、図６は偶数フィールドと奇数フィールドでなる入力映像信号から、２つの偶数サブフィールドと２つの奇数サブフィールドでなる出力映像信号を作成する様子を示すタイミングチャート、図７はマスク制御信号に基づいてデジタル出力データから作成されるアナログ出力の様子を示すタイミングチャート、図８はデルタ配列されたＬＣＤの画素配列の様子を示す図、図９はＬＣＤ上の画素の見かけの位置を４点画素ずらしにより移動する様子を示す図、図１０はＬＣＤ上にデルタ配列された複数の画素の内のあるＢ画素についての４点画素ずらしによる移動の様子を示す図、図１１はＬＣＤ上にデルタ配列された複数の画素が４点画素ずらしにより移動する様子を示す図、図１２は上記図１１において画素密度が疎となる部分のマスク対象となる画素を示す図、図１３は偶数ラインと奇数ラインとでマスク対象となる画素が異なる様子を示す図、図１４はマスクを行うことにより画像を表示する部分が均一で稠密な画素密度となる様子を示す図である。
【００１８】
この画像表示装置は、図１に示すように、コンポジット信号ＶＢＳが入力されるＡＶ端子１と、このＡＶ端子１から入力されたコンポジット信号ＶＢＳを輝度信号Ｙと色信号Ｃとに分離するＹ／Ｃ分離回路２と、上記ＡＶ端子１とは別途設けられていてＳ映像信号が入力されるＳ端子３と、上記ＡＶ端子１またはＳ端子３の何れに接続がなされているかに応じて、接続されている端子からの信号を選択して出力するスイッチ４と、このスイッチ４からの輝度信号Ｙと色信号Ｃを赤（Ｒ），緑（Ｇ），青（Ｂ）の各色の信号に変換するとともに、垂直同期信号ＶＤと水平同期信号ＨＤとフィールド信号Ｅ／Ｏとを抽出するデコーダ５と、このデコーダ５から出力されるＲ，Ｇ，Ｂ信号を通常の２倍のサンプリング周波数によりサンプリングしてデジタル信号にそれぞれ変換するＡ／Ｄ変換器６ｒ，６ｇ，６ｂと、これらＡ／Ｄ変換器６ｒ，６ｇ，６ｂによりデジタル化された映像信号にＬＣＤ表示に適したコントラスト強調を行うなどの各種のデジタル的な画像処理を施すとともに後で詳しく説明するように画像のマスク処理を行うデジタル画像処理ユニット７と、このデジタル画像処理ユニット７から出力されるデジタルのＲ，Ｇ，Ｂ信号をアナログ信号にそれぞれ変換するＤ／Ａ変換器８ｒ，８ｇ，８ｂと、このＤ／Ａ変換器８ｒ，８ｇ，８ｂの出力に基づきＬＣＤ駆動信号を生成するＬＣＤ駆動回路９と、このＬＣＤ駆動回路９から出力されるＬＣＤ駆動信号により画像の表示を行うＬＣＤ１０と、後述するバックライト１６（図２参照）により照射されてこのＬＣＤ１０から射出される光を偏光させる液晶セル１４，１５と、これら液晶セル１４，１５を駆動する液晶セル駆動回路１３と、この液晶セル駆動回路１３および上記ＬＣＤ１０のタイミングを制御するＬＣＤ用タイミングジェネレータ（ＬＣＤ用ＴＧ）１２と、上記デコーダ５から出力される垂直同期信号ＶＤと水平同期信号ＨＤとフィールド信号Ｅ／Ｏとに基づきサンプルホールド信号を生成し上記Ａ／Ｄ変換器６ｒ，６ｇ，６ｂ、上記デジタル画像処理ユニット７、上記Ｄ／Ａ変換器８ｒ，８ｇ，８ｂ、上記ＬＣＤ用ＴＧ１２などの各回路に供給するタイミング制御回路１１とを有して構成されている。
【００１９】
次に、図２を参照して、画像表示装置の光学的な部分について説明する。
【００２０】
この画像表示装置は、照明光を照射するバックライト１６と、このバックライト１６により照明光を照射されて、規則的に配列した複数の画素１０ａにより表示した画像の光束を射出する表示素子たるＬＣＤ１０と、このＬＣＤ１０から入射して来る光束を複数の部分毎に時間をずらして偏光して射出する偏光スイッチング用の液晶セル１４と、この液晶セル１４を通過した光をその偏光方向に応じて屈折させる複屈折板１７と、この複屈折板１７を通過した光をさらに複数の部分毎に時間をずらして偏光して射出する偏光スイッチング用の液晶セル１５と、この液晶セル１５を通過した光をその偏光方向に応じて屈折させる複屈折板１８と、この複屈折板１８を通過した光をその偏光方向に応じて屈折させる複屈折板１９と、を有してその光学的な部分が構成されている。
【００２１】
ここに、上記液晶セル１４、複屈折板１７、液晶セル１５、複屈折板１８，１９を含んで、画素の見かけの位置を移動させる光路変更手段たるウォブリング光学素子が構成されている。
【００２２】
上記液晶セル１４，１５は、液晶を挟み込む左右方向に細長の電極対１４ａ，１５ａを複数有して構成されていて、図２に示す例では、縦方向に３対の電極対１４ａ，１５ａがそれぞれ設けられている。そして、これら複数の電極対１４ａを順次オン／オフすることにより、各電極対１４ａ，１５ａが設けられた部分を通過する光の偏光方向を順次制御するようになっている。
【００２３】
このような液晶セルと複屈折板の組み合わせを用いて、光路をシフトさせＬＣＤ１０の見かけの画素数を増加させる原理について図３を参照して説明する。この図３においては、簡単のために、液晶セル１４および複屈折板１７の組み合わせによる部分についてを述べる。
【００２４】
ＬＣＤ１０から射出される光は、液晶を通過したものであるために、既に一方向に偏光しており、例えば図３に示す例では上下方向に偏光したものとなっている。
【００２５】
このＬＣＤ１０からの光が上記液晶セル１４に入射すると、その電極対１４ａによる部分毎の制御状態に応じて、光の偏光方向が変更される。すなわち、図３に示す例においては、上側の電極１４ａは偏光状態を変化させることなくそのまま光を通過させ、下側の電極１４ａについては偏光状態を変化させて横方向の偏光にするようになっている。
【００２６】
一方、上記複屈折板１７は、水晶やニオブ酸リチウム（ＬｉＮｂＯ3 ）などの結晶によって、後で詳しく説明するように、その結晶軸が厚み方向に対して４５度の角度をなすように形成されており、横方向に偏光した光はそのまま通過させ、縦方向に偏光した光は屈折させて図３の例ではやや下にずらして射出するようになっている。
【００２７】
このために、上の電極１４ａの部分を通過した光は光路が変更されてその射出位置がずれるとともに、中と下の電極１４ａについては光路が変更されることなくそのまま通過する。
【００２８】
このような原理の下に、液晶セル１４と複屈折板１７の組み合わせにより光束を光軸に交差する面内の一方向にシフトさせ、液晶セル１５と複屈折板１８，１９の組み合わせにより光束を光軸に交差する面内の上記一方向とは独立な他の方向にシフトさせる構成とする。
【００２９】
このとき、一方向をと他の方向とのなす角度を適宜に調節することで、平行四辺形の各頂点を移動させるように、４点シフトを行うことが可能となる（図９参照）。
【００３０】
続いて、上記デジタル画像処理ユニット７の構成について、図４を参照して説明する。
【００３１】
図４（Ｂ）は従来のデジタル画像処理ユニットの構成を示したものであり、一般的なデジタル画像処理を行うためのデジタル画像処理回路７ａを有してなるものである。
【００３２】
これに対して、本実施形態のデジタル画像処理ユニット７は、同様にデジタル画像処理回路７ａを有するとともに、さらにその後段に、マスク処理を行うためのマスク回路７ｂが設けられている。
【００３３】
このマスク回路７ｂは、例えば図５に示すように構成されている。なお、この図５には、マスク回路７ｂの内のＲ信号の処理に関する部分のみを図示するが、Ｇ信号およびＢ信号についても同様である。
【００３４】
上記デジタル画像処理回路７ａにより処理され、例えば８ビットのデジタル値で出力されるＲ信号（ＤＲ０〜ＤＲ７）は、ＡＮＤ回路２２に入力される。
【００３５】
このＡＮＤ回路２２は、さらに制御信号生成回路２１の出力を受けるようになっていて、この制御信号生成回路２１は、上記タイミング制御回路１１から、スタート信号ＳＴ、垂直同期信号ＨＤ、水平同期信号ＶＤ、クロックＣＬＫなどを受けて、黒にマスクする対象の画素であるか否かを判断して、マスクする対象の画素である場合には、その旨の制御信号を出力するものである。
【００３６】
すなわち、この制御信号生成回路２１は、黒にマスクする対象の画素である場合には、８つのＡＮＤ回路２２の全てにビット”０”を出力することによって、これら８つのＡＮＤ回路２２の出力を全てビット”０”に制御し、一方、黒にマスクする対象の画素でない場合には、８つのＡＮＤ回路２２の全てにビット”１”を出力することによって、これら８つのＡＮＤ回路２２の出力が上記Ｒ信号（ＤＲ０〜ＤＲ７）のままとなるように制御するようになっている。
【００３７】
次に、図６を参照して、偶数フィールドと奇数フィールドでなる入力映像信号から、２つの偶数サブフィールドと２つの奇数サブフィールドを作成する倍速化について説明する。
【００３８】
この画像表示装置は、上述したように、４点シフトを行って見かけの画素数を増加させるものであるために、偶数と奇数の各フィールドをそれぞれ２分してサブフィールドを作成するようになっている。
【００３９】
すなわち、図６に示すように、例えば、第１の奇数フィールドＯ1 は２つのサブフィールドＯ11，Ｏ12に分割され、第１の偶数フィールドＥ1 は、２つのサブフィールドＥ11，Ｅ12に分割される。その後の、各奇数フィールドや偶数フィールドについても同様である。
【００４０】
こうして、スタート信号ＳＴで区切られる１フレーム内には、４つのサブフィールドが存在することになり、垂直同期信号ＶＤのパルス数も同様に１フレーム内に４つとなる。
【００４１】
続いて、図７を参照して、Ｂ信号についてのデジタル出力データと、アナログ出力およびマスク制御信号とＤ／Ａクロックについて説明する。
【００４２】
画素配列をデルタ配列とした場合には、後述する図８から図１４にも示すように、偶数番目の列と奇数番目の列とは画素位置が横方向に半ピッチだけずれている。
【００４３】
そのために、上記ウォブリング光学素子によりウォブリングを行う際に、見かけ上、画素が疎となる部分は、偶数番目の列と、奇数番目の列とでは異なることになり、つまり、後述する図１３に示すように、偶数番目の列と奇数番目の列とでは、マスクする対象となる画素が異なることになる。
【００４４】
このような偶数番目の列と奇数番目の列のマスク制御を異ならせて行う様子を示すのがこの図７である。
【００４５】
すなわち、上記デジタル画像処理回路７ａからは、例えばＢ信号に関するデジタル出力データＤＢ1 ，ＤＢ2 ，ＤＢ3 ，…が順次出力される。
【００４６】
このとき、上記制御信号生成回路２１からは、ＤＢ1 からＤＢn-1 までがオン（上記ビット”１”に対応する）になり、その前後はオフ（上記ビット”０”に対応する）であるような、２ｎラインに関するマスク制御信号が出力される。
【００４７】
その一方で、上記制御信号生成回路２１からは、ＤＢ2 からＤＢn までがオンになり、その前後はオフであるような、２ｎ＋１ラインに関するマスク制御信号が出力される。
【００４８】
上記Ｄ／Ａ変換器８ｂにおいて、Ｄ／Ａクロックの立ち上げタイミングに従って、デジタル出力データＤＢk （ｋ＝１，２，…）がアナログ出力ＡＢk にそれぞれ対応して変換される。
【００４９】
このとき、上記マスク制御信号の結果、２ｎラインアナログ出力は、ＡＢ1 からＡＢn-1 までが画像出力でその前後は黒となり、一方、２ｎ＋１ラインアナログ出力は、ＡＢ2 からＡＢn までが画像に係る出力で、その前後は黒を表示する出力となる。
【００５０】
こうして、上記マスク回路７ｂは、偶数ラインか奇数ラインかに応じて黒く表示させる画素を制御するようになっており、つまり上述した要因も含めれば、サブフィールドの番号やライン位置、あるいは画素の色などに基づいて、該画素を黒く表示させるか否かを制御するようになっている。
【００５１】
続いて、図８から図１４を参照して、画素をデルタ配列したＬＣＤ１０におけるウォブリングの様子について説明する。
【００５２】
まず、図８に示すように、ＬＣＤ１０上に例えば横８００×縦２２５の画素数でデルタ配列された画素１０ａは、良く知られているように、同一列上において、Ｒ，Ｇ，Ｂの各色の画素１０ａが巡回するように配列されるとともに、偶数列と奇数列とは、画素同士の横方向のピッチの半分だけずれるようにして、かつ、上下の左右隣りとなる色とは異なる色が位置するように、配置されている。
【００５３】
このように配列された各画素を、上記液晶セル１４と複屈折板１７の組み合わせ、および液晶セル１５と複屈折板１８，１９の組み合わせにより、例えば横方向と斜め方向にシフトさせることで、図９に示すように、平行四辺形の各頂点を移動させるようになっている。
【００５４】
より詳しくは、例えば上記液晶セル１４をオフするとともに液晶セル１５をオフすることにより、画素が図９中の「１」で示す位置となり、上記液晶セル１４をオンするとともに液晶セル１５をオンすることにより、画素の見かけの位置が図９中の「２」で示す位置に移動し、上記液晶セル１４をオンするとともに液晶セル１５をオフすることにより、画素の見かけの位置が図９中の「３」で示す位置に移動し、上記液晶セル１４をオフするとともに液晶セル１５をオンすることにより、画素の見かけの位置が図９中の「４」で示す位置に移動し、さらにその後に上記液晶セル１４をオフするとともに液晶セル１５をオフすることにより、画素が図９中の上記「１」で示す位置に復帰する。なお、この動作の詳細については、例えば上述した特願平１０−３３６４８２号に記載されている。
【００５５】
このとき、動作を例えば奇数フィールドから開始する場合には、上記図６に示したような出力映像信号との対応において、例えば「１」で示す位置がＯ11の奇数サブフィールドに、「２」で示す位置がＯ12の奇数サブフィールドに、「３」で示す位置がＥ11の偶数サブフィールドに、「４」で示す位置がＥ12の偶数サブフィールドに、それぞれ該当し、その後も同様に対応することになる。
【００５６】
このような動作による例えばＢの画素の移動の様子について示すのが図１０である。
【００５７】
ＬＣＤ１０上に配列された画素の、２ｎ＋１列の一番左のＢ画素について、液晶セル１４をオフにするとともに液晶セル１５をオフにして、画素の見かけ上のずれをほぼなくした状態が、実線で示す位置となり、上記「１」の位置に相当するものとする。
【００５８】
このとき、まず、液晶セル１４をオンにするとともに液晶セル１５をオンにすることで、同じ２ｎ＋１列で隣り合うＲ画素とＧ画素の間となる１点差線で示す位置に移動し、これが上記「２」の位置に相当する。
【００５９】
次に、液晶セル１４をオンにしたまま、液晶セル１５をオフにすることより、上記１点差線で示した位置のＢ画素の右隣のＧ画素と、例えば上側の２ｎ列において該Ｇ画素の右上隣となるＲ画素と、の間となる点線で示す位置に移動し、これが上記「３」の位置に相当する。
【００６０】
さらに、液晶セル１４をオフにするとともに、液晶セル１５をオンにすることより、上記１点差線で示した位置のＢ画素の左隣のＲ画素と、例えば上側の２ｎ列において該Ｒ画素の左上隣となるＧ画素と、の間となる２点鎖線で示す位置に移動し、これが上記「４」の位置に相当する。
【００６１】
その後、さらに、液晶セル１４をオフにしたまま、さらに液晶セル１５をオフにすることより、再び、上記「１」の位置に相当する、２ｎ＋１列の一番左の実線で示す位置にＢ画素が復帰する。
【００６２】
上記液晶セル１４と液晶セル１５により移動するのは、もちろん全ての画素が対象であるために、移動される画素の様子は図１１に示すようになる。
【００６３】
この図１１を見れば分かるように、上述したように画素のウォブリングを行って見かけの位置を移動させると、左右の端部に画素密度が疎となる部分が発生する。
【００６４】
こうした部分は、そのまま画像を表示させると、画像が荒く見えたりちらついたりする要因となる。そこで、この画素密度が疎となる左右の端部を上述したように黒く表示させてマスクするようにしたものであり、マスクする対象となる画素は、例えば図１２の斜線で示すような部分となる。
【００６５】
このとき、ＬＣＤ１０の実際の画素列上におけるマスクの対象となる画素は、上述したように、サブフィールド番号と、偶数列であるか奇数列であるかのライン位置と、画素の色がＲ，Ｇ，Ｂの何れであるかと、の情報に基づいて、適切となるように制御されるようになっている。
【００６６】
さらに上記マスク回路７ｂは、これらの内の２つ、あるいは３つ全部に基づいて、画素を黒にマスクするか否かを判断するようになっていて、具体的には、上記図５に示したように、制御信号生成回路２１が、上記スタート信号ＳＴ、垂直同期信号ＨＤ、水平同期信号ＶＤ、クロックＣＬＫに基づいて、これら３つの条件を判断して、制御信号を出力するものである。
【００６７】
こうして例えば図１３に示すように、あるサブフィールドでは、２ｎ＋１ラインの一番左のＢ画素がマスクの対象となるが、別のサブフィールドにおいては一点鎖線（Ｂ2-1 ）で示すように、ＬＣＤ１０上の同一のＢ画素はマスクの対象とはならないことがある。
【００６８】
さらに、同一サブフィールドでは、２ｎラインの一番左のＲ画素とＧ画素がマスクの対象となるが、２ｎ＋１ラインでは一番左のＢ画素とＲ画素がマスクの対象となるというような制御が行われることになる。
【００６９】
こうして、サブフィールド番号や、ライン位置、画素の色などによって上記図１２の斜線に示したような左右端部の画素のマスク制御を行った結果、図１４に示すように、均一で稠密な画素分布を得ることができ、画像全体を高画質なものとすることができる。
【００７０】
なお、上述ではＬＣＤの画素がデルタ配列である場合について説明したが、本発明はこれに限定されるものではなく、その他の例えばストライプ配列などにも適用可能であることはいうまでもない。
【００７１】
また、上述では画面の左右両端部を黒く表示させる場合を説明したが、これに限らず、上下方向の端部に画素密度が疎となる部分が発生する場合には、その部分を黒くマスクするようにしても構わない。
【００７２】
さらに、上述では黒くマスクする例について説明したが、画素密度が疎となる部分の画像表示を禁止するようにすれば良く、黒く表示させることに限られるものではない。
【００７３】
そして、４点シフトによるウォブリングの場合について説明したが、２点シフトやさらに多点シフトの場合にも適用可能であり、表示する画像もカラーに限られるものでもない。
【００７４】
加えて、上述では、マスク回路７ｂをデジタル画像処理ユニット７内に設けたが、これに限らず、上記Ｄ／Ａ変換器８ｒ，８ｇ，８ｂによりアナログ信号に変換した後にマスク処理を行う回路を設けるようにしても構わない。このときには、黒く表示させる画素の信号レベルを、例えばグランドに落とすように制御すればよい。
【００７５】
このような実施形態によれば、１フレームを例えば４つのサブフィールドに分割して画素ずらしを順次行うことにより、見かけの画素数を増加させる画像表示装置において、画素ずらしを行う際に水平方向の両端部に生じる、見かけの画素密度が疎になる部分の画像表示を禁止して、黒を表示させるようにしたために、均一で稠密な画素分布を得ることができ、画像全体を高画質するとともに見易く表示することができる。
【００７６】
なお、本発明は上述した実施形態に限定されるものではなく、発明の主旨を逸脱しない範囲内において種々の変形や応用が可能であることは勿論である。
【００７７】
【発明の効果】
以上説明したように請求項１による本発明の画像表示装置によれば、見かけの画素密度が疎になる周辺部分の画像表示を禁止するようにしたために、均一で稠密な画素分布を得ることができ、限られた画素数で、より高精細な画像を、より見易く表示することが可能となる。
【００７８】
また、請求項２による本発明の画像表示装置によれば、見かけの画素密度が疎になる左右方向または上下方向の少なくとも一方の端部を黒く表示するようにしたために、均一で稠密な画素分布を得ることができ、限られた画素数で、より高精細な画像を、より見易く表示することが可能となる。
【００７９】
さらに、請求項３による本発明の画像表示装置によれば、見かけの画素位置が画素同士のピッチ以上移動される方向の両側の端部を黒く表示させることにより、請求項２に記載の発明と同様の効果を奏することができる。
【００８０】
請求項４による本発明の画像表示装置によれば、画素の位置に応じて、該画素を黒く表示させることにより、請求項３に記載の発明と同様の効果を奏することができる。
【００８１】
請求項５による本発明の画像表示装置によれば、サブフィールドの番号とライン位置と色との少なくとも２つに基づいて画素を黒く表示させることにより、請求項４に記載の発明と同様の効果を奏することができる。
【図面の簡単な説明】
【図１】本発明の一実施形態の画像表示装置の主として映像信号の流れに関する電気的な構成を示すブロック図。
【図２】上記実施形態の画像表示装置の光学的な部分の構成を示す斜視図。
【図３】上記実施形態の液晶セルと複屈折板によるウォブリングの様子を側方から示す図。
【図４】上記実施形態のデジタル画像処理ユニットの構成を従来と比較して示すブロック図。
【図５】上記実施形態において、Ｒ信号の処理に関するマスク回路の構成を示すブロック図。
【図６】上記実施形態において、偶数フィールドと奇数フィールドでなる入力映像信号から、２つの偶数サブフィールドと２つの奇数サブフィールドでなる出力映像信号を作成する様子を示すタイミングチャート。
【図７】上記実施形態において、マスク制御信号に基づいてデジタル出力データから作成されるアナログ出力の様子を示すタイミングチャート。
【図８】上記実施形態においてデルタ配列されたＬＣＤの画素配列の様子を示す図。
【図９】上記実施形態において、ＬＣＤ上の画素の見かけの位置を４点画素ずらしにより移動する様子を示す図。
【図１０】上記実施形態において、ＬＣＤ上にデルタ配列された複数の画素の内のあるＢ画素についての４点画素ずらしによる移動の様子を示す図。
【図１１】上記実施形態において、ＬＣＤ上にデルタ配列された複数の画素が４点画素ずらしにより移動する様子を示す図。
【図１２】上記図１１において画素密度が疎となる部分のマスク対象となる画素を示す図。
【図１３】上記実施形態において、偶数ラインと奇数ラインとでマスク対象となる画素が異なる様子を示す図。
【図１４】上記実施形態において、マスクを行うことにより画像を表示する部分が均一で稠密な画素密度となる様子を示す図。
【符号の説明】
７…デジタル画像処理ユニット
７ａ…デジタル画像処理回路（映像処理手段）
７ｂ…マスク回路（マスク手段）
１０…ＬＣＤ（表示素子）
１０ａ…画素
１４，１５…液晶セル（光路変更手段の一部）
１７，１８，１９…複屈折板（光路変更手段の一部）
２１…制御信号生成回路
【図１】
0004309519.tif 000002
【図２】
0004309519.tif 000003
【図３】
0004309519.tif 000004
【図４】
0004309519.tif 000005
【図５】
0004309519.tif 000006
【図６】
0004309519.tif 000007
【図７】
0004309519.tif 000008
【図８】
0004309519.tif 000009
【図９】
0004309519.tif 000010
【図１０】
0004309519.tif 000011
【図１１】
0004309519.tif 000012
【図１２】
0004309519.tif 000013
【図１３】
0004309519.tif 000014
【図１４】
0004309519.tif 000015